(57)【特許請求の範囲】
【請求項１】
種々の種類の配達物の積み重ね体のための包装機械において、選別ラインからの配達物積み重ね体（１７）の供給コンベヤ（１１）と、この供給コンベヤ（１１）の上方に配置されて、複数のプッシャー（２０）を備えている供給手段（１８）と、各々の単一の配達物積み重ね体（１７）を包むために包装材料のフィルム（１３ａ，１３ｂ）をそれぞれ供給する上方及び下方のアンワインディング又はアンローリング手段（１２ａ，１２ｂ）と、これらの上方及び下方のアンワインディング又はアンローリング手段（１２ａ，１２ｂ）から供給されたフィルム（１３ａ，１３ｂ）をそれぞれ収容する上方及び下方の保持要素（２１ａ，２１ｂ）と、これらの上方及び下方の保持要素（２１ａ，２１ｂ）の下流に配置されて、前記配達物積み重ね体（１７）と同じ前進速度で回転させられ、前記上方及び下方の保持要素（２１ａ，２１ｂ）から送り出されたフィルム（１３ａ，１３ｂ）がそれぞれ通過する上方及び下方のカレンダ（２２ａ，２２ｂ）と、これらの上方及び下方のカレンダ（２２ａ，２２ｂ）を通過したフィルム（１３ａ，１３ｂ）が供給されてくる横方向溶着手段（１４）と、この横方向溶着手段（１４）の下流でアンローディングコンベヤ（１６）に配置されている縦方向溶着手段（１５）と、この縦方向溶着手段（１５）の下に配置されているトリミングアスピレータ（２３）とを包含することを特徴とする配達物積み重ね体用包装機械。
【請求項２】
複数のプッシャー（２０）を備えている前記供給手段（１８）が一連のプッシャー（２０）を担持している連続リングクローズド要素（１９）から成ることを特徴とする請求項１記載の配達物積み重ね体用包装機械。
【請求項３】
多数の前記配達物積み重ね体（１７）が互いに所定の距離“ｄ”を置いて分離して連続して供給されることを特徴とする請求項１記載の配達物積み重ね体用包装機械。
【発明の詳細な説明】
【技術分野】
【０００１】
本発明は、配達物積み重ね体用包装機械に関する。
【背景技術】
【０００２】
例えば各郵便配達人のために選別する郵便物又は郵便コードに基づいて選別する郵便物のための配達物包装の分野においては、取り扱い中に郵便物が混合するのを防止するために、選別した複数の特定の郵便物をある方法で一緒に保持しなければならない。
【０００３】
このような配達物の積み重ね体は、種々の大きさ、すなわち異なる幅、長さ及び厚さの複数の配達物から成る。これらの配達物を一緒に保持することは、したがって、明らかに容易ではなく、配達物の積み重ね体がくずれる危険及び異なる積み重ね体の配達物が混合する危険がある。
【０００４】
更に、作業シフトの全所要時間の間に連続して包装される他の配達物とは異なり、これらの配達物の積み重ね体は選別場所に到達したときに他の積み重ね体から分離されるように取り扱われる。したがって、配達物の安定した積み重ね体を他の同様の種類の積み重ね体から分離して得るために、またこのような安定した積み重ね体をとりわけ短くて早い時間で形成するのを容易にするために、種々の機械を有することが必要である。
【発明の開示】
【発明が解決しようとする課題】
【０００５】
本発明の目的は、上述した一般的な問題を解決するようにした配達物積み重ね体用包装機械を提供することにある。
【０００６】
本発明の他の目的は、複雑な準備時間なしに、必要なときに、簡単かつ迅速に作業することができる配達物積み重ね体用包装機械を提供することにある。
【０００７】
本発明の更に他の目的は、高いコストをかけることなしに、構造的に簡単であると共に使用するのが容易である配達物積み重ね体用包装機械を提供することにある。
【課題を解決するための手段】
【０００８】
本発明によるこれらの目的は、種々の種類の配達物の積み重ね体のための包装機械において、選別ラインからの配達物積み重ね体の供給コンベヤと、この供給コンベヤの上方に配置されて、複数のプッシャーを備えている供給手段と、各々の単一の配達物積み重ね体を包むために包装材料のフィルムをそれぞれ供給する上方及び下方のアンワインディング又はアンローリング手段と、これらの上方及び下方のアンワインディング又はアンローリング手段から供給されたフィルムをそれぞれ収容する上方及び下方の保持要素と、これらの上方及び下方の保持要素の下流に配置されて、前記配達物積み重ね体と同じ前進速度で回転させられ、前記上方及び下方の保持要素から送り出されたフィルムがそれぞれ通過する上方及び下方のカレンダと、これらの上方及び下方のカレンダを通過したフィルムが供給されてくる横方向溶着手段と、この横方向溶着手段の下流でアンローディングコンベヤに配置されている縦方向溶着手段と、この縦方向溶着手段の下に配置されているトリミングアスピレータとを包含することを特徴とする配達物積み重ね体用包装機械を提供することにより、達成される。
【０００９】
好適には、本発明は次に述べるような特徴を有する。
【００１０】
複数のプッシャーを備えている前記供給手段は、一連のプッシャーを担持している連続リングクローズド要素から成る。
【００１１】
多数の前記配達物積み重ね体は、互いに所定の距離を置いて分離して連続して供給される。
【００１２】
本発明による配達物積み重ね体用包装機械の特徴及び利点は、添付図面を参照して述べられる下記の例示的で非限定的な説明から一層明らかになるであろう。
【発明を実施するための最良の形態】
【００１３】
図１及び図２を参照するに、これらの図は種々の種類の配達物の積み重ね体のための包装機械を示す。符号１０により総括的に示されている前記包装機械は、例えば一地区（郵便配達人の場合）又はひとつの町若しくは村（共通の郵便コードの場合）のような共通の届け先又は区域届け先とされる、例えば封筒、小包、新聞、雑誌、異なる大きさの印刷物などの配達物の処理及び包装を行う。
【００１４】
この配達物積み重ね体用包装機械１０は、本質的に、選別ライン（図示せず）からの配達物積み重ね体１７を受ける供給コンベヤ１１を包含する。この供給コンベヤ１１は、配達物積み重ね体１７の前進を促進するように配置された１本のベルト、又は幾つかの平行のベルト、若しくは支持面内を走行するプッシャーから成ることができる。
【００１５】
配達物の多数の積み重ね体１７は互いに所定の距離“ｄ”を置いて分離して連続して到来し、次の包装区域に送られる。これは、供給コンベヤ１１の上方に配置されて一連のプッシャー２０を担持している例えばベルト又はチェーンのような連続リングクローズド要素１９から成る追加の供給手段１８により行われる。この供給手段１８は、配達物積み重ね体１７を上述した包装区域に向かって押し、それらの前進を保証する。
【００１６】
また、上方及び下方のアンワインディング又はアンローリング手段１２ａ，１２ｂが配置され、これらの上方及び下方のアンローリング手段１２ａ，１２ｂは、各々の単一の配達物積み重ね体１７を包むために、例えばポリエチレン又はポリプロピレンのような包装材料のフィルム１３ａ，１３ｂをそれぞれ供給する。これらの上方及び下方のアンローリング手段１２ａ，１２ｂは、それぞれ、上方及び下方の保持要素２１ａ，２１ｂと関連させられている。これらの上方及び下方の保持要素２１ａ、２１ｂは、上方及び下方のアンワインディング又はアンローリング手段１２ａ，１２ｂから供給されたフィルム１３ａ，１３ｂをそれぞれ収容する。これらの上方及び下方の保持要素２１ａ，２１ｂの下流には、それぞれ、上方及び下方のカレンダ２２ａ，２２ｂが配置されている。これらの上方及び下方のカレンダ２２ａ，２２ｂは、配達物積み重ね体１７と同じ前進速度で回転させられ、上方及び下方の保持要素２１ａ，２１ｂから送り出されたフィルム１３ａ，１３ｂがそれぞれ通過する。そして、上方及び下方のカレンダ２２ａ，２２ｂを通過したフィルム１３ａ，１３ｂは横方向溶着手段（溶着機）１４に供給される。更に、横方向溶着手段１４の下流には縦方向溶着手段（溶着機）１５があり、この縦方向溶着手段１５はアンローディングコンベヤ１６に配置されている。
【００１７】
縦方向溶着手段１５の下にはトリミングアスピレータ２３が配置され、このトリミングアスピレータ２３は縦方向溶着手段１５の介入により取り除かれた包装フィルム端の部分を集める。
【００１８】
一緒に溶着した２枚のフィルム１３ａ，１３ｂの内側に収容された配達物積み重ね体１７から成るパッケージ２４は、それから、それらの最終届け先の準備のために、すなわち、これらのパッケージを郵便配達人に引き渡すために又は町若しくは最終分配区域に送るために、降ろされる。
【００１９】
本発明による包装機械の作用は、次のとおりである。
【００２０】
すでに述べたように、配達物積み重ね体１７は、ひとつ又はそれ以上の選別ライン（図示せず）から到来し、供給コンベヤ１１上に進められる。供給コンベヤ１１は、その上方に配置されている供給手段１８と協力して、配達物積み重ね体１７を包装区域に向かって押す。
【００２１】
配達物積み重ね体１７が包装区域の近くに到達したときに、上方及び下方のアンワインディング又はアンローリング手段１２ａ，１２ｂが、各々の単一の配達物積み重ね体１７を包むために、包装材料のフィルム１３ａ，１３ｂをそれぞれ供給する。もし上方及び下方のアンワインディング又はアンローリング手段１２ａ，１２ｂと関連している上方及び下方の保持要素２１ａ，２１ｂが多量のフィルム１３ａ，１３ｂを収容する場合には、又は高速包装を行わなければならない場合には、上方及び下方のカレンダ２２ａ，２２ｂを通過したフィルム１３ａ，１３ｂが横方向溶着手段１４に到達する前に、配達物積み重ね体１７のまわりにすばやく供給される。上方及び下方のカレンダ２２ａ，２２ｂが配達物積み重ね体１７と同じ前進速度で回転させられているので、これらの上方及び下方のカレンダ２２ａ，２２ｂは包装を行うために正確に必要とされる量のフィルムを供給することができる。
【００２２】
プッシャー２０は、この段階において、積み重ね体１７を形成する配達物の後端が横方向溶着手段１４の溶着棒の介入と完全に一致することを保証し、したがってパッケージの長さがその中に収容されている配達物の長さに適当であることを保証する。
【００２３】
更に、配達物積み重ね体１７が横方向溶着手段１４に到達したとき、フィルム１３ａ，１３ｂをそれぞれ供給する上方及び下方のアンワインディング又はアンローリング手段１２ａ，１２ｂは、また配達物の非常に軽い積み重ね体が横方向溶着手段１４に向かって進むことを可能にする。
【００２４】
横方向溶着手段１４は、したがって、いわゆる“スリーブ”パッケージ、すなわち、前進方向に関して横の方向における両側端が開いているパッケージを形成する。
【００２５】
縦方向溶着手段１５に向かうこの“スリーブ”パッケージの前進は、パッケージの完全な側部閉鎖を生じせしめ、同時に過剰なフィルムトリミングの除去を生じせしめる。
【００２６】
これらのサイドトリミングは、縦方向溶着手段１５により行われている切断及び溶着作業の間に、その下に配置されているトリミングアスピレータ２３により吸引される。このトリミングアスピレータ２３は、縦方向溶着手段１５の介入により除去された包装フィルムの端のトリミング、すなわち端部分を集める。
【００２７】
縦方向溶着手段１５の幅は、包装しようとする配達物又は製品の最大幅に関連して当然に設定、すなわち予め設定される。
【００２８】
トリミングアスピレータ２３は、包装機械の下方部分に組み込まれ、またフィルムのサイドスクラップを回収する引出し可能なバスケットを包含することができる。
【００２９】
更に、包装機械のモータリゼーションは電気シャフトフォローアップシステムで作動させることができる。
【００３０】
供給手段１８の各プッシャー２０は供給コンベヤ１１によりひとつひとつ離されて供給されてくる各配達物積み重ね体１７に追従するので、横方向及び縦方向溶着手段１４及び１５は、包装しようとする配達物積み重ね体１７の存在又は不存在に関して、停止及び始動する。
【００３１】
以上述べた方法によれば、本発明による配達物積み重ね体用包装機械は上述した目的を達成する。
【００３２】
種々の変化及び変形が以上述べた本発明による配達物積み重ね体用包装機械に対して行うことができ、本発明の精神の範囲内のものはすべて含まれるものである。
【００３３】
更に、実際上、以上述べた包装機械で用いられている要素の大きさ及び構成部分は技術的要求にしたがって変えることができるものである。
【図面の簡単な説明】
【００３４】
【図１】本発明による配達物積み重ね体用包装機械の側面図である。
【図２】図１に示される包装機械の平面図である。
【符号の説明】
【００３５】
１０  包装機械
１１  供給コンベヤ
１２ａ，１２ｂ  アンワインディング又はアンローリング手段
１３ａ，１３ｂ  包装材料のフィルム
１４  横方向溶着手段（溶着機）
１５  縦方向溶着手段（溶着機）
１６  アンローディングコンベヤ
１７  配達物積み重ね体
１８  供給手段
１９  連続リングクローズド要素
２０  プッシャー
２１ａ，２１ｂ  保持要素
２２ａ，２２ｂ  カレンダ
２３  トリミングアスピレータ
２４  パッケージ
【図１】
0004643197.tif 000002
【図２】
0004643197.tif 000003